(57)【要約】【課題】複数の二次電池を保持する構造体や二次電池の損傷を防止しつつ、従来よりも個々の二次電池を容易に取り出すことが可能な電池モジュールを提供する。【解決手段】筐体８０は、複数の二次電池１０を幅方向（Ｚ軸方向）の両側から支持する一対の支持部３０と、幅方向（Ｚ軸方向）に延びて一対の支持部３０を連結する連結部４０と、一対の支持部３０の間に画定され個々の二次電池１０を高さ方向（Ｙ軸方向）にスライドさせて収容可能な複数のスロット５０と、を有している。スペーサ２０は、スロット５０の開放端５１から高さ方向（Ｙ軸方向）に延び二次電池１０に臨む冷媒流路６０を画定する流路形成部２３を有している。【選択図】図８
2020038762.tif 000002
【特許請求の範囲】
【請求項１】
扁平角形の複数の二次電池と、該複数の二次電池を厚さ方向に積層させて保持する筐体と、前記厚さ方向に隣接する前記二次電池の間に配置されたスペーサと、を備えた二次電池モジュールであって、
前記筐体は、前記複数の二次電池を幅方向の両側から支持する一対の支持部と、前記幅方向に延びて前記一対の支持部を連結する連結部と、前記一対の支持部の間に画定され個々の前記二次電池を高さ方向にスライドさせて収容可能な複数のスロットと、を有し、
前記スペーサは、前記スロットの開放端から前記高さ方向に延び前記二次電池に臨む冷媒流路を画定する流路形成部を有していることを特徴とする二次電池モジュール。
【請求項２】
前記スペーサは、個々の前記二次電池に取り付けられていることを特徴とする請求項１に記載の二次電池モジュール。
【請求項３】
前記スペーサは、前記二次電池の前記高さ方向の両側の狭側面と前記厚さ方向の両側の広側面に対向するように取り付けられていることを特徴とする請求項２に記載の二次電池モジュール。
【請求項４】
前記スペーサは、前記二次電池の前記高さ方向の両側の狭側面と前記厚さ方向の片側の広側面に対向するように取り付けられていることを特徴とする請求項２に記載の二次電池モジュール。
【請求項５】
前記一対の支持部は、前記幅方向の内側へ延びるとともに前記高さ方向へ延びて前記二次電池の前記幅方向の両端部を前記高さ方向にスライド可能に支持する複数のガイド部を有し、
前記スペーサは、前記二次電池の前記幅方向の中間部に取り付けられ、前記一対の支持部の前記ガイド部の間で前記幅方向および前記高さ方向に延びて前記高さ方向にスライド可能に支持されていることを特徴とする請求項２に記載の二次電池モジュール。
【請求項６】
前記スペーサは、前記幅方向の両端部が前記一対の支持部に連結されていることを特徴とする請求項１に記載の二次電池モジュール。
【請求項７】
前記連結部は、前記スロットの前記開放端とは反対側の前記一対の支持部の前記高さ方向の端部に連結され、前記複数の二次電池の外部端子を接続する複数のバスバーを支持していることを特徴とする請求項１に記載の二次電池モジュール。
【請求項８】
前記バスバーは、前記厚さ方向に互いに隣接して配置された前記二次電池の外部端子の前記厚さ方向を向く面に接続されていることを特徴とする請求項７に記載の二次電池モジュール。
【請求項９】
前記バスバーは、前記厚さ方向に弾性変形して前記外部端子に押し付けられていることを特徴とする請求項８に記載の二次電池モジュール。
【請求項１０】
前記バスバーは、前記厚さ方向に互いに隣接して配置された前記二次電池の外部端子の前記高さ方向を向く面に接続され、
前記連結部は、前記高さ方向に弾性変形して前記バスバーを前記外部端子に押し付ける弾性変形部を有することを特徴とする請求項７に記載の二次電池モジュール。
【発明の詳細な説明】
【技術分野】
【０００１】
本開示は、二次電池モジュールに関する。
【背景技術】
【０００２】
従来から複数の単電池が組み合わされた組電池に関する発明、複数の角形電池を電池ホルダで定位置に配置してなる組電池に関する発明、および電池セルの接続構造に関する発明が知られている（下記特許文献１−３を参照。）。
【０００３】
特許文献１に記載された組電池は、複数の単電池と、その複数の単電池を並設して収容したケースと、個々の単電池毎に設けられ、単電池の端子が設けられた面に配設された絶縁部材とを備える。この組電池によれば、各単電池の端子がある面に絶縁部材を配設し、その絶縁部材を各単電池に設けたので、組電池に使用される単電池の数量を変更しても、単電池の数に合わせて蓋部材の数を調整するだけ対応することができ、専用の絶縁部材を新たに製造する必要がなくなる（同文献、請求項１および第００１５段落等を参照。）。
【０００４】
特許文献２に記載された組電池は、複数の角形電池が間隔を置いて配列され、その複数の角形電池を平行姿勢で所定の間隔で定位置に保持する電池ホルダを備えている。この電池ホルダは、垂直方向に積層された複数の保持枠を備えている。各保持枠は、複数の角形電池がそれぞれ挿入される複数の保持穴を有している。この従来の組電池では、電池ホルダを構成する積層された複数の保持枠の保持穴に角形電池が挿通されて、電池ホルダにより複数の角形電池が定位置に配置される。この組電池は、複数の保持枠を積層して電池ホルダとしているので、電池ホルダを一つの部材とする組電池に比べて、各々の成形枠を安価に多量生産できる（同文献、請求項１および第００１６段落等を参照。）。
【０００５】
さらに、この従来の組電池において、電池ホルダの保持枠は、仕切り壁を有し、仕切り壁は、上下方向に延び、隣接する角形電池の間に位置し、仕切り壁と角形電池との間に冷却気体が流れる冷却隙間が設けられている。角形電池は、隣接する電極端子を金属板のバスバーで連結して、互いに直列に、あるいは並列に接続される。これらの角形電池は、円柱状の電極端子を有している（同文献、請求項５、６、第００２３段落、図１等を参照。）。
【０００６】
特許文献３に記載された電池セルの接続構造は、一対の電極端子が上面の両端部寄りの位置に形成された複数の電池セルを、隣り合う２つの電池セル間で隣り合う２つの電極端子の極性が互いに異なるように並べて直列接続するためのものである。この従来の電池セルの接続構造は、複数のバスバーと、複数の電圧検知線と、複数のセパレータと、押圧部材と、を備えている（同文献、請求項１等を参照）。
【０００７】
上記複数のバスバーは、極性が互いに異なる隣り合う２つの電極端子を電気的に接続する。上記複数の電圧検知線は、複数のバスバーのそれぞれに電気的に接続される。上記複数のセパレータは、隣り合う２つの電池セル間に配されて各電池セルを離隔する仕切り壁を有する。上記押圧部材は、複数のバスバーおよび複数の電圧検知線の端子部分を電極端子に押し付ける。
【０００８】
上記押圧部材は、ラッチを有する２つの楔状部と、その２つの楔状部を繋ぐ連結部と、を含んでいる。上記仕切り壁は、電池セルの上面における一方または他方の端部寄りの位置付近において、電池セルの上面より所定高さ上方に突出する突出部を有している。上記複数のセパレータは、隣り合う２つの電池セルの電極端子を突出部の上部から覆う屋根部をさらに有し、各電池セルを挟む２つのセパレータの突出部および屋根部の位置が互い違いになるように配置されている。
【０００９】
上記屋根部は、テーパ部と、ラッチ係止部とを電池セルの上面に対向する面に有する。隣り合う２つの電池セルを挟む２つのセパレータの突出部により画成された領域に押圧部材が挿入された場合に、テーパ部は、楔状部をバスバーおよび電圧検知線の端子部分に上から押し付け、ラッチ係止部は、ラッチを係止する。この構成により、特許文献３に記載された従来の電池セルの接続構造は、ボルト締結を行わずに複数の電池セルを接続する接続構造において、電池セルの電極端子に特殊な加工を施すことなく、バスバーおよび電圧検知線を簡易に取り付けることができる。
【先行技術文献】
【特許文献】
【００１０】
【特許文献１】特開２０１３−８４５９５号公報
【特許文献２】特開２０１６−１０３３７８号公報
【特許文献３】特開２０１７−１３０３３８号公報
【発明の概要】
【発明が解決しようとする課題】
【００１１】
特許文献１に記載された従来の組電池は、導電性の板状材料からなるバスバーによって、隣接する単電池の正極端子と負極端子とが電気的に接続されている（同文献、第００４０段落および図３等を参照。）。このようなバスバーは、通常、単電池の正極端子と負極端子とに溶接される。そのため、組電池を構成する複数の単電池の一つを交換する必要が生じた場合に、組電池全体の交換が必要になるおそれがある。
【００１２】
また、特許文献２に記載された組電池において、電池ホルダを構成する保持枠の保持穴の縁の角部や冷却隙間の縁の角部は、電池ホルダに対する角形電池の挿抜方向に対して交差する方向に延びている。そのため、電池ホルダに対する角形電池の挿抜時に、保持枠の上記角部が角形電池に引っ掛かり、保持枠や角形電池を損傷させるおそれがある。
【００１３】
特許文献３に記載された電池セルの接続構造は、ボルト締結を行わずに複数の電池セルを接続することができる。しかし、電池セルの一つを交換する必要が生じた場合、押圧部材のラッチを破断させてセパレータのラッチ係止部との係止を解除する必要があり、作業が煩雑になる。
【００１４】
本開示は、複数の二次電池を保持する構造体や二次電池の損傷を防止しつつ、従来よりも個々の二次電池を容易に取り出すことが可能な電池モジュールを提供する。
【課題を解決するための手段】
【００１５】
本開示の一態様は、扁平角形の複数の二次電池と、該複数の二次電池を厚さ方向に積層させて保持する筐体と、前記厚さ方向に隣接する前記二次電池の間に配置されたスペーサと、を備えた二次電池モジュールであって、前記筐体は、前記複数の二次電池を幅方向の両側から支持する一対の支持部と、前記幅方向に延びて前記一対の支持部を連結する連結部と、前記一対の支持部の間に画定され個々の前記二次電池を高さ方向にスライドさせて収容可能な複数のスロットと、を有し、前記スペーサは、前記スロットの開放端から前記高さ方向に延び前記二次電池に臨む冷媒流路を画定する流路形成部を有していることを特徴とする二次電池モジュールである。
【発明の効果】
【００１６】
本開示の上記一態様によれば、複数の二次電池を保持する構造体である筐体およびスペーサや、二次電池の損傷を防止しつつ、従来よりも個々の二次電池を容易に取り出すことが可能な電池モジュールを提供することができる。
【図面の簡単な説明】
【００１７】
【図１】実施形態１に係る二次電池モジュールの斜視図。
【図２】図１に示す二次電池モジュールを構成する二次電池とスペーサの斜視図。
【図３】図２に示す二次電池とスペーサの分解斜視図。
【図４】図１に示す二次電池モジュールを構成する筐体の斜視図。
【図５】図４に示す筐体の分解斜視図。
【図６】図１に示す二次電池モジュールの側面図。
【図７】図６に示すVII−VII線に沿う二次電池モジュールの模式的な断面図。
【図８】図１に示す二次電池モジュールの一つの二次電池を取り外した状態の斜視図。
【図９】実施形態２に係る二次電池モジュールの図６に相当する側面図。
【図１０】図９に示す二次電池モジュールの二次電池とスペーサの分解斜視図。
【図１１】図９に示す二次電池モジュールの図８に相当する斜視図。
【図１２】実施形態３に係る二次電池モジュールの図６に相当する側面図。
【図１３】図１２に示す二次電池モジュールを構成する二次電池とスペーサの斜視図。
【図１４】図１２に示す二次電池モジュールのXIV−XIV線に沿う模式的な断面図。
【図１５】実施形態４に係る二次電池モジュールの分解斜視図。
【図１６】図１５に示す二次電池モジュールを構成する二次電池とスペーサの斜視図。
【図１７】実施形態５に係る二次電池モジュールの分解斜視図。
【図１８】図１７に示す二次電池モジュールの筐体の斜視図。
【発明を実施するための形態】
【００１８】
以下、図面を参照して本開示に係る二次電池モジュールの実施形態を説明する。
【００１９】
［実施形態１］
図１は、実施形態１に係る二次電池モジュール１００の斜視図である。図２は、図１に示す二次電池モジュール１００を構成する二次電池１０とスペーサ２０の斜視図である。図３は、図２に示す二次電池１０とスペーサ２０の分解斜視図である。図４は、図１に示す二次電池モジュール１００を構成する筐体８０の斜視図である。図５は、図４に示す筐体８０の分解斜視図である。図６は、図１に示す二次電池モジュール１００の側面図である。図７は、図６に示すVII−VII線に沿う二次電池モジュール１００の模式的な断面図である。
【００２０】
なお、以下では、二次電池１０の厚さ方向に平行なＸ軸、二次電池１０の高さ方向に平行なＹ軸、および二次電池１０の幅方向に平行なＺ軸からなるＸＹＺ直交座標系を用いて二次電池モジュール１００の構成を説明する場合がある。また、以下の説明における上下左右、縦横などの方向は、二次電池モジュール１００の構成を説明するための便宜的な方向であり、二次電池モジュール１００の使用時の方向を限定するものではない。
【００２１】
本実施形態の二次電池モジュール１００は、たとえば、電気自動車（ＥＶ）、ハイブリッド車（ＨＶ）、プラグインハイブリッド車（ＰＨＶ）などの車両に搭載され、電動機駆動システムにおける車載電源装置を構成する。また、本実施形態の二次電池モジュール１００は、たとえば、定置型蓄電装置に適用される。詳細については後述するが、本実施形態の二次電池モジュール１００は、たとえば、次の構成を特徴としている。
【００２２】
二次電池モジュール１００は、扁平角形の複数の二次電池１０と、これら複数の二次電池１０を厚さ方向（Ｘ軸方向）に積層させて保持する筐体８０と、厚さ方向に隣接する二次電池１０の間に配置されたスペーサ２０と、を備えている。筐体８０は、複数の二次電池１０を幅方向（Ｚ軸方向）の両側から支持する一対の支持部３０と、幅方向に延びて一対の支持部３０を連結する連結部４０と、一対の支持部３０の間に画定されて個々の二次電池１０を高さ方向（Ｙ軸方向）にスライドさせて収容可能な複数のスロット５０と、を有している。スペーサ２０は、スロット５０の開放端５１から高さ方向（Ｙ軸方向）に延び二次電池１０に臨む冷媒流路６０を画定する流路形成部２３を有している。
【００２３】
以下、本実施形態の二次電池モジュール１００の各部の構成を詳細に説明する。二次電池１０は、たとえば、リチウムイオン二次電池であり、より詳細には、扁平な薄型の直方体形状を有する角形リチウムイオン二次電池である。二次電池１０は、厚さ方向（Ｘ軸方向）の両側の一対の広側面１０ａと、高さ方向（Ｙ軸方向）の両側の一対の狭側面１０ｃと、幅方向（Ｚ軸方向）の両側の一対の狭側面１０ｂとを有している。これら二次電池１０の各面のうち、厚さ方向を向く広側面１０ａの面積が最大であり、幅方向を向く狭側面１０ｂの面積が最小である。
【００２４】
二次電池１０は、高さ方向（Ｙ方向）の一端が開放された有底角筒状の電池缶１１と、電池缶１１の開口部を封止する長方形板状の電池蓋１２と、一対の外部端子１３と、を有している。また、図示は省略するが、二次電池１０は、電池缶１１および電池蓋１２によって構成された電池容器の内部に、電極群、集電板、絶縁部材、絶縁カバー、電解液などを有している。
【００２５】
電池缶１１および電池蓋１２は、たとえばアルミニウムやアルミニウム合金によって製作され、電池缶１１の開口部に電池蓋１２の全周がレーザ溶接によって接合されることで、密封された電池容器を構成している。電池蓋１２は、長手方向の中央部にガス排出弁１２ａ（図７を参照）を有し、長手方向の両端部に貫通孔を有している。ガス排出弁１２ａは、電池缶１１および電池蓋１２によって構成された電池容器の内部の圧力が所定の圧力を超えて上昇したときに開裂し、電池容器の内部のガスを排出することで、二次電池１０の安全性を確保する。
【００２６】
一対の外部端子１３は、それぞれ、おおむね直方体のブロック状の形状を有し、一方が正極の外部端子１３であり、他方が負極の外部端子１３である。一対の外部端子１３は、それぞれ、電気絶縁性を有する樹脂製のガスケットを介して、二次電池１０の高さ方向の一側の狭側面１０ｃ、すなわち電池蓋１２の外表面の長手方向の両端部に配置され、電池蓋１２に対して電気的に絶縁されている。
【００２７】
正極の外部端子１３は、たとえばアルミニウムやアルミニウム合金によって製作され、電池蓋１２の長手方向の一端の貫通孔およびガスケットに挿通される柱状の接続部を有している。負極の外部端子１３は、たとえば銅や銅合金によって製作され、電池蓋１２の長手方向の他端の貫通孔およびガスケットに挿通される柱状の接続部を有している。正極の外部端子１３の端子部は、電池缶１１の内部に収容された正極の集電板に接続され、負極の外部端子１３の端子部は、電池缶１１の内部に収容された負極の集電板に接続されている。
【００２８】
電池缶１１の内部に収容された正極の集電板は、電池缶１１の内部に収容された電極群を構成する正極電極に電気的に接続されている。電池缶１１の内部に収容された負極の集電板は、電池缶１１の内部に収容された電極群を構成する負極電極に電気的に接続されている。正極および負極の集電板は、たとえば、電気絶縁性を有する樹脂製の絶縁部材を介在させて電池蓋１２に固定され、電池蓋１２に対して電気的に絶縁されている。
【００２９】
電極群は、たとえば、正極電極と負極電極との間に電気絶縁性を有するセパレータを介在させ、これらを捲回して成形した扁平な捲回電極群である。電極群は、捲回軸方向の一端と他端にそれぞれ捲回されて束ねられた正極電極の箔露出部と負極電極の箔露出部に、それぞれ正極および負極の集電板が接合されている。
【００３０】
これにより、電極群を構成する正極電極が正極の集電板を介して正極の外部端子１３に電気的に接続され、電極群を構成する負極電極が負極の集電板を介して負極の外部端子１３に電気的に接続されている。また、電極群は、正極および負極の集電板を介して電池蓋１２に支持され、絶縁カバーに覆われて電池缶１１の内部に収容され、電池缶１１の内部に収容された非水電解液に浸漬されている。
【００３１】
このような構成により、二次電池１０は、一対の外部端子１３を介して電力が供給されると、電池缶１１および電池蓋１２によって構成された電池容器の内部の電極群に電気エネルギーが蓄えられて充電される。また、二次電池１０は、充電された状態であれば、一対の外部端子１３を介して外部に電力を供給することができる。
【００３２】
本実施形態の二次電池モジュール１００において、複数の二次電池１０は、たとえば、直列に接続されている。より具体的には、二次電池モジュール１００において、複数の二次電池１０は、二次電池１０の厚さ方向（Ｘ軸方向）に積層させて配置されている。これら複数の二次電池１０は、隣り合う二つの二次電池１０において、一方の二次電池１０の正極の外部端子１３と他方の二次電池１０の負極の外部端子１３とが隣り合うように、交互に１８０°反転させて配置されている。そして、積層方向に隣り合う一方の二次電池１０の正極の外部端子１３と他方の二次電池１０の負極の１３とを、バスバー９０によって積層方向に順次接続していくことで、複数の二次電池１０が直列に接続されている。
【００３３】
スペーサ２０は、たとえばエンジニアリングプラスチック等の絶縁性を有する樹脂材料によって製作されている。スペーサ２０は、たとえば、二次電池１０の広側面１０ａの一部を露出させる複数の流路形成部２３を有している。流路形成部２３は、たとえば、スペーサ２０に設けられたスリット状の貫通孔であり、スロット５０の開放端５１に配置された二次電池１０の高さ方向の一方の狭側面１０ｃから他方の狭側面１０ｃまで、二次電池１０の高さ方向（Ｙ軸方向）に連続的に延びている。
【００３４】
スペーサ２０は、筐体８０の一対の支持部３０の間に画定された複数のスロット５０の各々に挿入される個々の二次電池１０に取り付けられる。スペーサ２０は、筐体８０の隣り合うスロット５０に挿入された隣り合う二つの二次電池１０の間のスペースに配置される。また、本実施形態の二次電池モジュール１００は、隣り合う二つの二次電池１０の間に配置された二つのスペーサ２０の流路形成部２３が互いに対向して、隣り合う二つの二次電池１０の間に冷媒流路６０が画定されている。
【００３５】
冷媒流路６０は、二次電池１０の広側面１０ａとスペーサ２０の流路形成部２３とによって画定され、二次電池１０の高さ方向におけるスペーサ２０の一端と他端に入口と出口を有している。これにより、冷媒流路６０は、たとえば冷却空気などの冷媒が入口から導入されて二次電池１０の広側面１０ａに沿って二次電池１０の高さ方向に流れ、二次電池１０を冷却することで温度が上昇した冷媒が出口から排出されるように構成されている。
【００３６】
スペーサ２０は、たとえば、二次電池１０を厚さ方向（Ｘ軸方向）から保持するセルホルダであり、二次電池１０の高さ方向（Ｙ軸方向）の両側の狭側面１０ｃと、厚さ方向の両側の広側面１０ａに対向するように取り付けられている。また、スペーサ２０は、二次電池１０の幅方向（Ｚ軸方向）の両端部を除く幅方向の中間部に取り付けられている。
【００３７】
スペーサ２０は、たとえば、第１スペーサ２０Ａと、第２スペーサ２０Ｂと、ガスケット２４とを有している。第１スペーサ２０Ａおよび第２スペーサ２０Ｂは、それぞれ、二次電池１０の広側面１０ａに沿う第１部分２１と、二次電池１０の狭側面１０ｃに沿う第２部分２２とを有し、厚さ方向（Ｘ軸方向）の両側から二次電池１０を保持している。すなわち、スペーサ２０は、第１スペーサ２０Ａと第２スペーサ２０Ｂとによって、二次電池１０を厚さ方向の両側から保持している。
【００３８】
第１スペーサ２０Ａの第１部分２１は、二次電池１０の一方の広側面１０ａに対向し、二次電池１０の高さ方向（Ｙ軸方向）および幅方向（Ｚ軸方向）に延在する平板状の部分であり、複数の流路形成部２３を有している。第１スペーサ２０Ａの一対の第２部分２２は、二次電池１０の高さ方向（Ｙ軸方向）の両側の狭側面１０ｃに対向し、二次電池１０の幅方向（Ｚ軸方向）および厚さ方向（Ｘ軸方向）に延在する平板状の部分である。
【００３９】
第１スペーサ２０Ａの一対の第２部分２２は、二次電池１０の高さ方向（Ｙ軸方向）における第１部分２１の両端部から二次電池１０の一対の狭側面１０ｃに沿って二次電池１０の厚さ方向（Ｘ方向）の中央付近まで延びている。第１スペーサ２０Ａの一対の第２部分２２は、二次電池１０のガス排出弁１２ａに対応する位置に切り欠き２２ａを有している。なお、第１スペーサ２０Ａは、一対の第２部分２２のうち、電池蓋１２に対向する第２部分２２にのみ、切り欠き２２ａを有してもよい。
【００４０】
第２スペーサ２０Ｂの第１部分２１は、二次電池１０の他方の広側面１０ａに対向し、二次電池１０の高さ方向（Ｙ軸方向）および幅方向（Ｚ軸方向）に延在する平板状の部分であり、複数の流路形成部２３を有している。第２スペーサ２０Ｂの一対の第２部分２２は、二次電池１０の高さ方向（Ｙ軸方向）の両側の狭側面１０ｃに対向し、二次電池１０の幅方向（Ｚ軸方向）および厚さ方向（Ｘ軸方向）に延在する平板状の部分である。
【００４１】
第２スペーサ２０Ｂの一対の第２部分２２は、二次電池１０の高さ方向（Ｙ軸方向）における第１部分２１の両端部から二次電池１０の一対の狭側面１０ｃに沿って二次電池１０の厚さ方向（Ｘ方向）の中央付近まで延びている。第２スペーサ２０Ｂの一対の第２部分２２は、二次電池１０のガス排出弁１２ａに対応する位置に切り欠き２２ａを有している。なお、第２スペーサ２０Ｂは、一対の第２部分２２のうち、電池蓋１２に対向する第２部分２２にのみ、切り欠き２２ａを有してもよい。
【００４２】
ガスケット２４は、電池蓋１２に対向してガス排出弁１２ａを囲む矩形枠状の部材であり、ガス排出弁１２ａから排出されるガスの流路を画定する。すなわち、ガスケット２４によって、ガス排出弁１２ａから排出されるガスの流路が冷媒流路６０から隔離され、ガス排出弁１２ａから排出されるガスが冷媒流路６０を流れる冷媒に混入しないようになっている。ガスケット２４は、たとえば、二次電池１０の高さ方向（Ｙ軸方向）における電池蓋１２側の端部の外周面に、溝２４ａを有している。溝２４ａは、たとえば、ガスケット２４の外周面の全周にわたって連続的に設けられている。
【００４３】
ガスケット２４は、たとえば、第１スペーサ２０Ａおよび第２スペーサ２０Ｂの第２部分２２の切り欠き２２ａの段差状の縁部を溝２４ａに係合させることで、第１スペーサ２０Ａおよび第２スペーサ２０Ｂに固定され、電池蓋１２に接してガス排出弁１２ａを囲むように配置される。なお、スペーサ２０は、たとえば、第１スペーサ２０Ａおよび第２スペーサ２０Ｂの互いに対向する第２部分２２の端部に互いに係合する凸部と凹部を有し、これらの凸部と凹部を係合させることで、二次電池１０に取り付けられていてもよい。
【００４４】
第１スペーサ２０Ａおよび第２スペーサ２０Ｂは、それぞれ、複数の流路形成部２３を有している。第１スペーサ２０Ａおよび第２スペーサ２０Ｂの流路形成部２３は、第１部分２１に設けられたスリット状の貫通孔と、一対の第２部分２２に設けられた凹状の切り欠きとによって構成されている。第１スペーサ２０Ａおよび第２スペーサ２０Ｂの流路形成部２３は、たとえば、二次電池１０の幅方向（Ｚ軸方向）において、ガス排出弁１２ａを囲むガスケット２４の両側に、それぞれ二つずつ、合計四つが設けられている。なお、流路形成部２３の数は一例であり、特に限定されない。
【００４５】
第１スペーサ２０Ａおよび第２スペーサ２０Ｂの第１部分２１に設けられ、流路形成部２３を構成するスリット状の貫通孔は、隣り合う二つの二次電池１０の間で接続され、隣り合う二つの二次電池１０の広側面１０ａとともに冷媒流路６０を画定する。第１スペーサ２０Ａおよび第２スペーサ２０Ｂの一対の第２部分２２に設けられ、流路形成部２３を構成する凹状の切り欠きは、隣り合う二つの二次電池１０の間で互いに対向し、冷媒流路６０の入口と出口を画定する。
【００４６】
筐体８０は、前述のように、一対の支持部３０、連結部４０、および複数のスロット５０を有するとともに、たとえば矩形平板状のカバー７０を有している。
【００４７】
一対の支持部３０は、複数の二次電池１０の幅方向（Ｚ軸方向）の両側に配置された矩形平板状の部材であり、複数の二次電池１０を幅方向の両側から支持している。また、一対の支持部３０は、たとえば、複数の平板状のガイド部３１を有している。ガイド部３１は、一対の支持部３０に設けられ、二次電池１０の幅方向の内側へ延びるとともに、二次電池１０の高さ方向（Ｙ軸方向）へ延びて、二次電池１０の幅方向（Ｚ軸方向）の両端部を高さ方向にスライド可能に支持する。
【００４８】
連結部４０は、たとえば、複数の二次電池１０の高さ方向（Ｙ軸方向）の一側に配置された矩形平板状の部分であり、二次電池１０の幅方向（Ｚ軸方向）に延びて一対の支持部３０を連結している。すなわち、連結部４０は、二次電池１０の高さ方向（Ｙ軸方向）において、スロット５０の開放端５１とは反対側の一対の支持部３０の端部に連結されている。
【００４９】
連結部４０は、たとえば、二次電池１０の厚さ方向（Ｘ軸方向）および幅方向（Ｚ軸方向）に延在し、二次電池１０の高さ方向（Ｙ軸方向）に厚さを有する矩形平板状に設けられている。連結部４０は、たとえば、二次電池１０の電池蓋１２に対向して配置されている。連結部４０は、たとえば、複数の二次電池１０の外部端子１３を露出させる複数の開口部４１と、複数の冷媒流路６０に連通する複数の貫通孔４２と、ガスケット２４が配置される複数の開口部４３と、流路形成溝４４とを有している。
【００５０】
開口部４１は、二次電池１０の幅方向（Ｚ軸方向）における連結部４０の両端部に設けられている。二次電池１０の幅方向において、連結部４０の一端に設けられた複数の開口部４１と、連結部４０の他端に設けられた複数の開口部４１は、二次電池１０の厚さ方向（Ｘ軸方向）に開口部４１の寸法の半分ずつずらして、互い違いに設けられている。これにより、個々の開口部４１は、前述のように１８０°交互に反転させて積層配置された複数の二次電池１０の互いに隣り合う二つの二次電池１０のうち、一方の二次電池１０の正極の外部端子１３と、他方の二次電池１０の負極の外部端子１３とを露出させる。
【００５１】
なお、二次電池１０の積層方向（Ｘ軸方向）において、一方の端に配置された二次電池１０の正極の外部端子１３と、他方の端に配置された二次電池１０の負極の外部端子１３は、それぞれ、二次電池モジュール１００の正極と負極の外部端子１３となる。これらの外部端子１３を露出させる開口部４１は、たとえば、二次電池１０の幅方向（Ｚ軸方向）における連結部４０の一端で、二次電池１０の積層方向（Ｘ軸方向）における連結部４０の両端に、他の開口部４１のおおむね半分程度の大きさで開口されている。
【００５２】
二次電池１０の積層方向（Ｘ軸方向）に隣り合う二つの二次電池１０の外部端子１３を露出させる開口部４１には、バスバー９０が配置される。これにより、隣り合う二つの二次電池１０のうち、一方の二次電池１０の正極の外部端子１３にバスバー９０の一端が接し、他方の二次電池１０の負極の外部端子１３にバスバー９０の他端が接する。そして、一方の二次電池１０の正極の外部端子１３と、他方の二次電池１０の負極の外部端子１３とが、バスバー９０によって電気的に接続される。
【００５３】
このように、複数の二次電池１０の外部端子１３を接続する複数のバスバー９０は、連結部４０の開口部４１内に配置され、連結部４０によって支持される。なお、開口部４１内に配置されるバスバー９０は、二次電池１０の外部端子１３に接合されず、取り外しが可能であり、たとえば、カバー７０によって外部端子１３に押し付けられる。
【００５４】
また、前述のように、バスバー９０が、二次電池１０の厚さ方向（Ｘ軸方向）に互いに隣接して配置された外部端子１３の高さ方向（Ｙ軸方向）を向く面に接続される。この場合、連結部４０は、二次電池１０の高さ方向（Ｘ軸方向）に弾性変形してバスバー９０を外部端子１３に押し付けるように構成されていてもよい。具体的には、たとえば、開口部４１の内側に、二次電池１０の高さ方向（Ｙ軸方向）に弾性変形可能な爪部または弾性変形部を設け、爪部または弾性変形部によってバスバー９０を外部端子１３に向けて付勢することができる。
【００５５】
個々の貫通孔４２は、個々の二次電池１０に取り付けられるスペーサ２０によって画定される個々の冷媒流路６０の出口または入口に対応する位置に設けられ、連結部４０を二次電池１０の高さ方向（Ｙ軸方向）に貫通している。個々の貫通孔４２は、個々の冷媒流路６０に連通し、冷媒流路６０に導入される冷媒または冷媒流路６０から排出される冷媒の流路を画定している。
【００５６】
個々の開口部４３は、個々の二次電池１０に取り付けられるスペーサ２０のガスケット２４に対応する位置に設けられている。開口部４３は、流路形成溝４４の底部に開口され、内側にガスケット２４が配置される。開口部４３に配置されるガスケット２４によって画定されるガス流路は、流路形成溝４４の底部に開口する。これにより、ガス排出弁１２ａから排出されるガスは、角筒状のガスケット２４によって画定されたガス流路を通過して流路形成溝４４に排出される。
【００５７】
流路形成溝４４は、二次電池１０のガス排出弁１２ａの位置に対応する二次電池１０の幅方向（Ｚ軸方向）の中央付近に凹状に設けられ、二次電池１０の積層方向（Ｘ軸方向）における連結部４０の一端から他端まで連続的に設けられている。流路形成溝４４は、カバー７０との間に、ガス排出弁１２ａから排出されるガスを排出するガス排出流路４５を画定する。
【００５８】
複数のスロット５０は、一対の支持部３０の間に画定され、個々の二次電池１０を高さ方向（Ｙ軸方向）にスライドさせて収容可能に設けられている。より具体的には、一対の支持部３０は、たとえば二次電池１０の幅方向（Ｚ軸方向）の内側へ延びるとともに二次電池１０の高さ方向（Ｙ軸方向）へ延びて二次電池１０の幅方向の両端部を高さ方向にスライド可能に支持する複数のガイド部３１を有している。スロット５０は、少なくとも二次電池１０の幅方向の両端部が、支持部３０とガイド部３１とによって画定されている。
【００５９】
すなわち、個々のスロット５０は、たとえば、二次電池１０の幅方向（Ｚ軸方向）の両端部が支持部３０とガイド部３１とによって画定され、二次電池１０の幅方向（Ｚ軸方向）の中間部が開放され、二次電池１０の高さ方向（Ｙ軸方向）の一端が開放端５１とされている。これにより、個々のスロット５０は、個々の二次電池１０を開放端５１から挿入し、高さ方向（Ｙ軸方向）にスライドさせて収容可能に設けられている。
【００６０】
一対の支持部３０のガイド部３１は、二次電池１０の幅方向（Ｚ軸方向）の中間部に取り付けられたスペーサ２０を、二次電池１０の高さ方向（Ｙ軸方向）にスライド可能に支持している。より具体的には、スペーサ２０は、一対の支持部３０のガイド部３１の間で二次電池１０の幅方向および高さ方向に延び、二次電池１０の幅方向両側に配置されたガイド部３１によって、二次電池１０の高さ方向にスライド可能に支持されている。
【００６１】
カバー７０は、連結部４０の複数の二次電池１０が配置される面と反対の面に対向して配置される矩形平板状の部材である。カバー７０は、たとえば、連結部４０に対して取り外し可能に係合し、連結部４０の開口部４１に配置されたバスバー９０を覆うとともに、連結部４０の流路形成溝４４の開口部を閉鎖して流路形成溝４４とともにガス排出流路４５を画定する。
【００６２】
カバー７０は、たとえば、連結部４０の開口部４１に対応する位置に、連結部４０へ向けて突出してバスバー９０を二次電池１０の外部端子１３に押し付ける複数の凸部７１を有している。なお、カバー７０は、たとえば、連結部４０に取り付けられたときにバスバー９０に当接するとともに二次電池１０の高さ方向に弾性変形してバスバー９０を二次電池１０の外部端子１３へ向けて付勢する弾性変形部を有してもよい。
【００６３】
カバー７０は、冷媒流路６０に連通する連結部４０の複数の貫通孔４２に対応する位置に、複数の貫通孔７２を有している。これにより、スペーサ２０の流路形成部２３によって画定される冷媒流路６０の入口または出口が、連結部４０の貫通孔４２を介してカバー７０の貫通孔７２に連通している。そして、貫通孔７２を介して冷媒流路６０の入口に冷媒を導入し、または、冷媒流路６０の出口から貫通孔７２を介して冷媒を排出することができるようになっている。
【００６４】
図示を省略するが、筐体８０は、たとえば、一対の支持部３０に取り外し可能に係合して、複数のスロット５０の開放端５１を閉鎖するカバーを有していてもよい。この場合、複数のスロット５０の開放端５１を閉鎖するカバーには、カバー７０と同様に、スペーサ２０によって画定される冷媒流路６０に連通する貫通孔が設けられる。これにより、複数のスロット５０の開放端５１を閉鎖するカバーの貫通孔を介して、冷媒流路６０の入口に冷媒を導入し、または、冷媒流路６０の出口から冷媒を排出することができる。
【００６５】
次に、本実施形態の二次電池モジュール１００の作用について説明する。図８は、筐体８０の一つのスロット５０を除いて複数の二次電池１０が収容された二次電池モジュール１００の斜視図である。
【００６６】
前述のように、二次電池モジュール１００は、扁平角形の複数の二次電池１０と、これら複数の二次電池１０を厚さ方向（Ｘ軸方向）に積層させて保持する筐体８０と、厚さ方向に隣接する二次電池１０の間に配置されたスペーサ２０と、を備えている。筐体８０は、複数の二次電池１０を幅方向（Ｚ軸方向）の両側から支持する一対の支持部３０と、幅方向に延びて一対の支持部３０を連結する連結部４０と、一対の支持部３０の間に画定されて個々の二次電池１０を高さ方向（Ｙ軸方向）にスライドさせて収容可能な複数のスロット５０と、を有している。スペーサ２０は、スロット５０の開放端５１から高さ方向（Ｙ軸方向）に延び二次電池１０に臨む冷媒流路６０を画定する流路形成部２３を有している。
【００６７】
この構成により、二次電池モジュール１００は、筐体８０の個々のスロット５０に個々の二次電池１０をスライドさせて収容することで、複数の二次電池１０がスペーサ２０によって等間隔に配置されて筐体８０によって支持および固定される。
【００６８】
ここで、仮に、スペーサ２０の流路形成部２３が、二次電池１０の挿入方向である二次電池１０の高さ方向（Ｙ軸方向）に交差する方向に延びている場合を想定する。この場合、二次電池１０の挿入時または取り出し時に、スペーサ２０の流路形成部２３の角部が、筐体８０の一部や他のスペーサ２０の角部を横切る。そのため、スペーサ２０の流路形成部２３の角部が、筐体８０の一部や他のスペーサ２０に引っ掛かるおそれがある。
【００６９】
これに対し、本実施形態の二次電池モジュール１００のスペーサ２０の流路形成部２３は、前述のように、二次電池１０の挿入方向である二次電池１０を高さ方向（Ｙ軸方向）に平行、またはおおむね平行に、高さ方向に沿って延びている。そのため、二次電池１０の挿入時または取り出し時に、スペーサ２０の流路形成部２３の角部が、筐体８０の一部や他のスペーサ２０の角部を横切らず、これらに引っ掛かることが防止される。
【００７０】
したがって、二次電池モジュール１００によれば、複数の二次電池１０を保持する構造体である筐体８０やスペーサ２０の損傷を防止しつつ、個々の二次電池１０を筐体８０のスロット５０に容易に挿入することが可能になる。また、たとえば、筐体８０に収容された複数の二次電池１０のうちの一つに不具合が発生した場合に、その二次電池１０のみを、選択的に、筐体８０やスペーサ２０の損傷を防止しつつ、筐体８０のスロット５０から容易に取り出すことができる。
【００７１】
また、複数の二次電池１０を複数のスロット５０に挿入することで、スペーサ２０の流路形成部２３によって、スロット５０の開放端５１から高さ方向（Ｙ軸方向）に延びて二次電池１０に臨む冷媒流路６０が画定される。そのため、たとえば、二次電池モジュール１００を、二次電池１０の高さ方向が鉛直方向に沿うように配置することで、冷媒流路６０において二次電池１０を冷却して温度が上昇した空気などの冷媒は、上方へ移動して冷媒流路６０の出口から自然に排出される。そして、より低温の冷媒が冷媒流路６０の下端の入口から導入される。したがって、冷媒の対流によって複数の二次電池１０を冷却することができる。
【００７２】
また、本実施形態の二次電池モジュール１００において、スペーサ２０は、個々の二次電池１０に取り付けられている。そのため、筐体８０のスロット５０に二次電池１０を挿入したり取り出したりするときに、二次電池１０がスペーサ２０によって保護される。また、筐体８０のスロット５０に二次電池１０を挿入したり取り出したりするときに、二次電池１０に取り付けられたスペーサ２０によって、二次電池１０を案内することができる。したがって、複数の二次電池１０を保持する構造体である筐体８０およびスペーサ２０や、二次電池１０の損傷を防止しつつ、従来よりも個々の二次電池１０を容易に挿入および取り出すことができる。
【００７３】
また、本実施形態の二次電池モジュール１００において、スペーサ２０は、二次電池１０の高さ方向（Ｙ軸方向）の両側の狭側面１０ｃと厚さ方向（Ｘ軸方向）の両側の広側面１０ａに対向するように取り付けられている。これにより、筐体８０のスロット５０に二次電池１０を挿入したり取り出したりするときに、スペーサ２０によって二次電池１０の狭側面１０ｃと広側面１０ａを保護することができる。
【００７４】
また、スペーサ２０を構成する第１スペーサ２０Ａと第２スペーサ２０Ｂを、二次電池１０の厚さ方向の両側から取り付けて互いに係合させることができ、二次電池１０に対するスペーサ２０の取り付けが容易になる。さらに、隣り合う二次電池１０にそれぞれ取り付けられたスペーサ２０の第１部分２１が、隣り合う二次電池１０の間に二重に配置される。そのため、スペーサ２０の耐衝撃性や耐久性が向上し、二次電池モジュール１００の耐衝撃性や耐久性を向上させることができる。
【００７５】
また、本実施形態の二次電池モジュール１００において、筐体８０の一対の支持部３０は、二次電池１０の幅方向（Ｚ軸方向）の内側へ延びるとともに高さ方向（Ｙ軸方向）へ延びて二次電池１０の幅方向の両端部を高さ方向にスライド可能に支持する複数のガイド部３１を有している。そして、スペーサ２０は、二次電池１０の幅方向の中間部に取り付けられ、一対の支持部のガイド部の間で二次電池１０の幅方向および高さ方向に延びて高さ方向にスライド可能に支持されている。
【００７６】
この構成により、筐体８０のスロット５０に二次電池１０を挿入したり取り出したりするときに、二次電池１０の幅方向の両側のガイド部３１によって、二次電池１０に取り付けられたスペーサ２０を二次電池１０の高さ方向に案内することができる。したがって、複数の二次電池１０を保持する構造体である筐体８０およびスペーサ２０や、二次電池１０の損傷を防止しつつ、従来よりも個々の二次電池１０を容易に挿入および取り出すことができる。
【００７７】
また、本実施形態の二次電池モジュール１００において、連結部４０は、二次電池１０高さ方向（Ｚ軸方向）で、スロット５０の開放端５１とは反対側の一対の支持部３０の端部に連結され、複数の二次電池１０の外部端子１３を接続する複数のバスバー９０を支持している。
【００７８】
この構成により、外部端子１３が設けられた二次電池１０の狭側面１０ｃを連結部４０に対向させて、二次電池１０をスロット５０に挿入することで、連結部４０に支持されたバスバー９０に外部端子１３を接触させ、複数の二次電池１０をバスバー９０によって接続することができる。そのため、二次電池１０の外部端子１３をバスバー９０に締結したり接合したりする必要がなく、従来よりも個々の二次電池１０を容易に挿入および取り出すことができる。
【００７９】
また、本実施形態の二次電池モジュール１００において、バスバー９０は、二次電池１０の厚さ方向（Ｘ軸方向）に互いに隣接して配置された二次電池１０の外部端子１３の高さ方向（Ｙ軸方向）を向く面に接続されている。そのため、連結部４０が、高さ方向（Ｙ軸方向）に弾性変形してバスバー９０を外部端子１３に押し付ける弾性変形部を有する場合には、より確実にバスバー９０を外部端子１３に接触させ、複数の二次電池１０の接続信頼性を向上させることができる。
【００８０】
以上説明したように、本実施形態によれば、複数の二次電池１０を保持する構造体である筐体８０およびスペーサ２０や、二次電池１０の損傷を防止しつつ、従来よりも個々の二次電池１０を容易に取り出すことが可能な二次電池モジュール１００を提供することができる。
【００８１】
［実施形態２］
次に、図９から図１１を参照して、本開示の電池モジュールの実施形態２を説明する。図９は、実施形態２に係る二次電池モジュール１００Ａの図６に相当する側面図である。図１０は、図９に示す二次電池モジュール１００Ａの二次電池１０とスペーサ２０Ｃの分解斜視図である。図１１は、図９に示す二次電池モジュール１００Ａの図８に相当する斜視図である。
【００８２】
本実施形態の二次電池モジュール１００Ａは、スペーサ２０Ｃが、二次電池１０の高さ方向（Ｙ軸方向）の両側の狭側面１０ｃと厚さ方向（Ｘ軸方向）の片側の広側面１０ａに対向するように取り付けられている点で、前述の実施形態１に係る二次電池モジュール１００と異なっている。本実施形態の二次電池モジュール１００Ａのその他の点は、前述の実施形態１の二次電池モジュール１００と同様であるので、同様の部分には同一の符号を付して説明を省略する。
【００８３】
本実施形態の二次電池モジュール１００Ａは、前述の実施形態１の二次電池モジュール１００と同様に、扁平角形の複数の二次電池１０と、その複数の二次電池１０を厚さ方向に積層させて保持する筐体８０と、厚さ方向に隣接する二次電池１０の間に配置されたスペーサ２０Ｃと、を備えている。また、筐体８０は、複数の二次電池１０を幅方向の両側から支持する一対の支持部３０と、幅方向に延びて一対の支持部３０を連結する連結部４０と、一対の支持部３０の間に画定され個々の二次電池１０を高さ方向にスライドさせて収容可能な複数のスロット５０と、を有している。そして、スペーサ２０Ｃは、スロット５０の開放端５１から高さ方向（Ｙ軸方向）に延び二次電池１０に臨む冷媒流路６０を画定する流路形成部２３を有している。
【００８４】
したがって、本実施形態の二次電池モジュール１００Ａによれば、前述の実施形態１の二次電池モジュール１００と同様に、筐体８０およびスペーサ２０Ｃや、二次電池１０の損傷を防止しつつ、従来よりも個々の二次電池１０を容易に取り出すことが可能な二次電池モジュール１００Ａを提供することができる。
【００８５】
また、本実施形態の二次電池モジュール１００Ａにおいて、スペーサ２０Ｃは、二次電池１０の高さ方向の両側の狭側面１０ｃと厚さ方向の片側の広側面１０ａに対向するように取り付けられている。この構成により、筐体８０のスロット５０に収容されて隣り合う二次電池１０にそれぞれ取り付けられたスペーサ２０Ｃの第１部分２１は、隣り合う二次電池１０の間に一つずつ配置され、重複して配置されることがない。そのため、隣り合う二次電池１０の間隔を狭め、二次電池モジュール１００Ａを小型化または薄型化することが可能になる。
【００８６】
［実施形態３］
次に、図１２から図１４を参照して、本開示の電池モジュールの実施形態３を説明する。図１２は、実施形態３に係る二次電池モジュール１００Ｂの図６に相当する側面図である。図１３は、図１２に示す二次電池モジュール１００Ｂを構成する二次電池１０とスペーサ２０の斜視図である。図１４は、図１２に示す二次電池モジュールの１００ＢのXIV−XIV線に沿う模式的な断面図である。
【００８７】
本実施形態の二次電池モジュール１００Ｂは、バスバー９０が、二次電池１０の厚さ方向（Ｘ軸方向）に互いに隣接して配置された二次電池１０の外部端子１３の厚さ方向（Ｘ軸方向）を向く面に接続されている点で、前述の実施形態１に係る二次電池モジュール１００と異なっている。本実施形態の二次電池モジュール１００Ｂのその他の点は、前述の実施形態１の二次電池モジュール１００と同様であるので、同様の部分には同一の符号を付して説明を省略する。
【００８８】
本実施形態の二次電池モジュール１００Ｂは、前述の実施形態１の二次電池モジュール１００と同様に、扁平角形の複数の二次電池１０と、その複数の二次電池１０を厚さ方向に積層させて保持する筐体８０と、厚さ方向に隣接する二次電池１０の間に配置されたスペーサ２０と、を備えている。また、筐体８０は、複数の二次電池１０を幅方向の両側から支持する一対の支持部３０と、幅方向に延びて一対の支持部３０を連結する連結部４０と、一対の支持部３０の間に画定され個々の二次電池１０を高さ方向にスライドさせて収容可能な複数のスロット５０と、を有している。そして、スペーサ２０は、スロット５０の開放端５１から高さ方向（Ｙ軸方向）に延び二次電池１０に臨む冷媒流路６０を画定する流路形成部２３を有している。
【００８９】
したがって、本実施形態の二次電池モジュール１００Ｂによれば、前述の実施形態１の二次電池モジュール１００と同様に、筐体８０およびスペーサ２０や、二次電池１０の損傷を防止しつつ、従来よりも個々の二次電池１０を容易に取り出すことが可能な二次電池モジュール１００Ｂを提供することができる。
【００９０】
また、本実施形態の二次電池モジュール１００Ｂにおいて、二次電池１０の外部端子１３は、二次電池１０の高さ方向（Ｙ軸方向）および幅方向（Ｚ軸方向）におおむね平行な平板状の形状を有している。また、バスバー９０は、断面形状がチャネル型または角Ｕ字型の薄板形状を有している。そして、二次電池１０が筐体８０のスロット５０に収容された状態で、バスバー９０は、二次電池１０の厚さ方向（Ｘ軸方向）に互いに隣接して配置された二次電池１０の外部端子１３の厚さ方向を向く面に接続されている。
【００９１】
この構成により、二次電池１０の外部端子１３を、連結部４０に支持されたバスバー９０と連結部４０との間に圧入することで、外部端子１３とバスバー９０とをより確実に接触させることができ、複数の二次電池１０の接続信頼性を向上させることができる。
【００９２】
また、本実施形態の二次電池モジュール１００Ｂにおいて、バスバー９０は、二次電池１０の厚さ方向（Ｘ軸方向）に弾性変形して外部端子１３に押し付けられていてもよい。この構成により、外部端子１３とバスバー９０とをより確実に接触させることができ、複数の二次電池１０の接続信頼性を向上させることができる。
【００９３】
［実施形態４］
次に、図１５および図１６を参照して、本開示の電池モジュールの実施形態４を説明する。図１５は、実施形態４に係る二次電池モジュール１００Ｃの分解斜視図である。図１６は、図１５に示す二次電池モジュール１００Ｃを構成する二次電池１０とスペーサ２０の斜視図である。
【００９４】
本実施形態の二次電池モジュール１００Ｃは、二次電池１０の外部端子１３が外周面にねじ山を有する円柱状に形成され、バスバー９０にナット９１によって締結されている点で、前述の実施形態１に係る二次電池モジュール１００と異なっている。本実施形態の二次電池モジュール１００Ｃのその他の点は、前述の実施形態１の二次電池モジュール１００と同様であるので、同様の部分には同一の符号を付して説明を省略する。
【００９５】
本実施形態の二次電池モジュール１００Ｃは、前述の実施形態１の二次電池モジュール１００と同様に、扁平角形の複数の二次電池１０と、その複数の二次電池１０を厚さ方向に積層させて保持する筐体８０と、厚さ方向に隣接する二次電池１０の間に配置されたスペーサ２０と、を備えている。また、筐体８０は、複数の二次電池１０を幅方向の両側から支持する一対の支持部３０と、幅方向に延びて一対の支持部３０を連結する連結部４０と、一対の支持部３０の間に画定され個々の二次電池１０を高さ方向にスライドさせて収容可能な複数のスロット５０と、を有している。そして、スペーサ２０は、スロット５０の開放端５１から高さ方向（Ｙ軸方向）に延び二次電池１０に臨む冷媒流路６０を画定する流路形成部２３を有している。
【００９６】
したがって、本実施形態の二次電池モジュール１００Ｃによれば、前述の実施形態１の二次電池モジュール１００と同様に、筐体８０およびスペーサ２０や、二次電池１０の損傷を防止しつつ、従来よりも個々の二次電池１０を容易に取り出すことが可能な二次電池モジュール１００Ｃを提供することができる。
【００９７】
［実施形態５］
次に、図１７および図１８を参照して、本開示の電池モジュールの実施形態５を説明する。図１７は、実施形態５に係る二次電池モジュール１００Ｄの分解斜視図である。図１８は、図１７に示す二次電池モジュール１００Ｄの筐体８０Ａの斜視図である。なお、図１８では、筐体８０Ａのカバー７０を取り外した状態を示している。
【００９８】
本実施形態の二次電池モジュール１００Ｄは、スペーサ２０と同様のスペーサ４６が連結部４０と一体に設けられて一対の支持部３０に連結されている点で、前述の実施形態１に係る二次電池モジュール１００と異なっている。本実施形態の二次電池モジュール１００Ｄのその他の点は、前述の実施形態１の二次電池モジュール１００と同様であるので、同様の部分には同一の符号を付して説明を省略する。
【００９９】
本実施形態の二次電池モジュール１００Ｄにおいて、スペーサ４６は、二次電池１０の幅方向（Ｚ軸方向）の両端部が一対の支持部３０に連結されている。より詳細には、スペーサ４６の両端部は、支持部３０に設けられたガイド部３１に連結されている。また、スペーサ４６は、二次電池１０に対向する面に凹溝状の流路形成部４６ａを有している。流路形成部４６ａは、スロット５０の開放端５１から二次電池１０の高さ方向に延び、二次電池１０に臨む冷媒流路６０を画定する。
【０１００】
本実施形態の二次電池モジュール１００Ｄは、前述の実施形態１の二次電池モジュール１００と同様に、扁平角形の複数の二次電池１０と、その複数の二次電池１０を厚さ方向に積層させて保持する筐体８０と、厚さ方向に隣接する二次電池１０の間に配置されたスペーサ４６と、を備えている。また、筐体８０は、複数の二次電池１０を幅方向の両側から支持する一対の支持部３０と、幅方向に延びて一対の支持部３０を連結する連結部４０と、一対の支持部３０の間に画定され個々の二次電池１０を高さ方向にスライドさせて収容可能な複数のスロット５０と、を有している。そして、スペーサ４６は、スロット５０の開放端５１から高さ方向（Ｙ軸方向）に延び二次電池１０に臨む冷媒流路６０を画定する流路形成部４６ａを有している。
【０１０１】
したがって、本実施形態の二次電池モジュール１００Ｄによれば、前述の実施形態１の二次電池モジュール１００と同様に、筐体８０およびスペーサ４６や、二次電池１０の損傷を防止しつつ、従来よりも個々の二次電池１０を容易に取り出すことが可能な二次電池モジュール１００Ｄを提供することができる。
【０１０２】
以上、図面を用いて本開示に係る二次電池モジュールの実施形態を詳述してきたが、具体的な構成は前述の実施形態に限定されるものではなく、本開示の要旨を逸脱しない範囲における設計変更等があっても、それらは本開示に含まれるものである。
【符号の説明】
【０１０３】
１０      二次電池
１０ａ    広側面
１０ｃ    狭側面
１３      外部端子
８０      筐体
２０      スペーサ
２３      流路形成部
３０      支持部
３１      ガイド部
４０      連結部
４６      スペーサ
４６ａ    流路形成部
５０      スロット
５１      開放端
６０      冷媒流路
９０      バスバー
１００    二次電池モジュール
１００Ａ  二次電池モジュール
１００Ｂ  二次電池モジュール
１００Ｃ  二次電池モジュール
１００Ｄ  二次電池モジュール
【図１】
2020038762.tif 000003
【図２】
2020038762.tif 000004
【図３】
2020038762.tif 000005
【図４】
2020038762.tif 000006
【図５】
2020038762.tif 000007
【図６】
2020038762.tif 000008
【図７】
2020038762.tif 000009
【図８】
2020038762.tif 000010
【図９】
2020038762.tif 000011
【図１０】
2020038762.tif 000012
【図１１】
2020038762.tif 000013
【図１２】
2020038762.tif 000014
【図１３】
2020038762.tif 000015
【図１４】
2020038762.tif 000016
【図１５】
2020038762.tif 000017
【図１６】
2020038762.tif 000018
【図１７】
2020038762.tif 000019
【図１８】
2020038762.tif 000020